(57)【要約】      （修正有）【課題】不要な医用画像の外部への転送を防止し、不適切な読影および診断を防止するＸ線検査システムを提供する。【解決手段】外部保存システム１０７、１０８へＸ線画像を出力可能なＸ線検査システム１０１であって、外部保存システム１０７、１０８へ出力済のＸ線画像が外部保存システム１０７、１０８で写損状態であるか否かを示す情報を取得する取得部と、Ｘ線画像が写損状態である場合に、当該Ｘ線画像の外部保存システム１０７、１０８への再出力を禁止する禁止部とを備える。【選択図】図１
2017170013.tif 000002
【特許請求の範囲】
【請求項１】
外部保存システムへＸ線画像を出力可能なＸ線検査システムであって、
前記外部保存システムへ出力済のＸ線画像が前記外部保存システムで写損状態であるか否かを示す情報を取得する取得手段と、
前記Ｘ線画像が前記写損状態である場合に、当該Ｘ線画像の前記外部保存システムへの再出力を禁止する禁止手段と
を備えることを特徴とするＸ線検査システム。
【請求項２】
前記Ｘ線画像が前記写損状態である場合に、前記写損状態を示す情報を通知する通知手段をさらに備えることを特徴とする請求項１に記載のＸ線検査システム。
【請求項３】
操作者の操作に基づいてＸ線画像を写損状態に設定する設定手段をさらに備え、
前記禁止手段は、前記設定手段により前記写損状態に設定されたＸ線画像の前記外部保存システムへの出力をさらに禁止することを特徴とする請求項１又は２に記載のＸ線検査システム。
【請求項４】
前記設定手段は、前記操作者の操作に基づいてＸ線画像の写損状態の設定を解除することを特徴とする請求項３に記載のＸ線検査システム。
【請求項５】
前記設定手段は、前記外部保存システムで写損状態であるＸ線画像について前記写損状態の設定を解除しないことを特徴とする請求項４に記載のＸ線検査システム。
【請求項６】
前記設定手段により写損状態に設定されたＸ線画像に対する前記写損状態を示す情報と、前記外部保存システムで写損状態であるＸ線画像に対する前記写損状態を示す情報との各表示形態が異なることを特徴とする請求項３乃至５の何れか１項に記載のＸ線検査システム。
【請求項７】
前記Ｘ線画像が前記写損状態でない場合に、当該Ｘ線画像の前記外部保存システムへ再出力する出力手段をさらに備えることを特徴とする請求項１乃至６の何れか１項に記載のＸ線検査システム。
【請求項８】
前記外部保存システムへ出力するＸ線画像を、操作者の操作に基づいて選択する選択手段と、
前記選択手段により選択されたＸ線画像が前記外部保存システムへ出力済であるか否かを判定する判定手段と
をさらに備え、
前記取得手段は、前記判定手段により出力済であると判定された場合に、前記出力済のＸ線画像が前記外部保存システムで写損状態であるか否かを示す情報を取得することを特徴とする請求項１乃至７の何れか１項に記載のＸ線検査システム。
【請求項９】
外部保存システムへＸ線画像を出力可能なＸ線検査システムの制御方法であって、
取得手段が、前記外部保存システムへ出力済のＸ線画像が前記外部保存システムで写損状態であるか否かを示す情報を取得する取得工程と、
禁止手段が、前記Ｘ線画像が前記写損状態である場合に、当該Ｘ線画像の前記外部保存システムへの再出力を禁止する禁止工程と
を有することを特徴とするＸ線検査システムの制御方法。
【請求項１０】
請求項９に記載のＸ線検査システムの制御方法の各工程をコンピュータに実行させるためのプログラム。
【発明の詳細な説明】
【技術分野】
【０００１】
本発明は、Ｘ線検査システム、Ｘ線検査システムの制御方法およびプログラムに関する。
【背景技術】
【０００２】
従来、Ｘ線検査システムからＰＡＣＳ(Picture Archiving and Communication System)などの外部保存システムに医用画像が出力されて保存されている。その場合、医用画像を外部保存システムに保管する前に、医用画像の画像品質を確認するために検像システムが利用されている。
【０００３】
検像システムでは、検査者が外部保存システムに医用画像の記録を行う前に、Ｘ線検査システムから出力された医用画像が読影に適した画像品質を有するかどうかの判断を行う。画像が読影に適さない場合は、当該医用画像が使用不可（以下、写損状態）である旨をＸ線検査システムに対して通知する。通知の内容としては検像システムからＸ線検査システムに対して再撮影を依頼すること等が挙げられる。
【０００４】
特許文献１、特許文献２、特許文献３では、再撮影の依頼を検像システムからＸ線検査システムへ通知する手順の容易化及び迅速化が提案されている。
【先行技術文献】
【特許文献】
【０００５】
【特許文献１】特開２０１２−１３０３６９号公報
【特許文献２】特開２００６−５１１９８号公報
【特許文献３】特開２００４−９７６５２号公報
【発明の概要】
【発明が解決しようとする課題】
【０００６】
しかしながら、従来の技術では、外部保存システムで長期間保存された結果、保存期限切れとなった写損状態の画像について、その存在を把握することができない。よって、そのような画像についてはＸ線検査システムでは写損状態であるか否かを判別できず、外部保存システムで写損状態の画像と同じ画像が再出力されることにより、当該画像が診断時の読影に使用されてしまう可能性があるという課題がある。
【０００７】
本発明は、上記の課題に鑑みてなされたものであり、不要な医用画像の外部への転送を防止し、不適切な読影および診断を防止する技術を提供することを目的とする。
【課題を解決するための手段】
【０００８】
上記の目的を達成する本発明に係るＸ線検査システムは、
外部保存システムへＸ線画像を出力可能なＸ線検査システムであって、
前記外部保存システムへ出力済のＸ線画像が前記外部保存システムで写損状態であるか否かを示す情報を取得する取得手段と、
前記Ｘ線画像が前記写損状態である場合に、当該Ｘ線画像の前記外部保存システムへの再出力を禁止する禁止手段と
を備えることを特徴とする。
【発明の効果】
【０００９】
本発明によれば、不要な医用画像の外部への転送を防止し、不適切な読影および診断を防止することが可能となる。
【図面の簡単な説明】
【００１０】
【図１】本発明の一実施形態に係る医用システムの構成図。
【図２】本発明の一実施形態に係る検査画面ＧＵＩの一例を示す図。
【図３】本発明の一実施形態に係る撮影画像出力の手順を示すフローチャート。
【図４】本発明の一実施形態に係る画像再出力のシーケンスを示す図。
【図５】本発明の一実施形態に係る検査再出力の手順を示すフローチャート。
【図６】本発明の一実施形態に係る出力中止メッセージダイアログの一例を示す図。
【図７】本発明の一実施形態に係る画像状態の表示例を示す図。
【図８】本発明の一実施形態に係る過去検査選択画面ＧＵＩの一例を示す図。
【発明を実施するための形態】
【００１１】
以下、添付図面を参照して本発明の好適な実施の形態を説明する。尚、以下の実施の形態は特許請求の範囲に係る発明を限定するものでなく、また本実施の形態で説明されている特徴の組み合わせのすべてが本願の課題を解決するために必須のものとは限らない。
【００１２】
（実施形態１）
＜システム構成＞
図１は本実施形態に係る医用システムの構成図の一例を示したものである。医用システムは、Ｘ線検査システム１０１、外部入力システム１０６、外部保存システム１０７、１０８、及び外部表示システム１０９を含んで構成される。Ｘ線検査システム１０１は、表示部１０２、操作部１０３、制御部１０４、及び撮影部１０５を備えており、外部保存システム１０７、１０８へＸ線画像を出力可能である。
【００１３】
表示部１０２は、画像データやＧＵＩ（グラフィカルユーザインタフェース）などを画面に表示する液晶ディスプレイである。操作部１０３は、マウス、キーボード、照射スイッチ等である。制御部１０４は、各処理部を制御する。例えば、撮影部１０５を制御して撮影を行う機能、撮影された画像データに対して画像処理を行う機能、撮影された画像データや検査データを保存する機能を有する。
【００１４】
Ｘ線検査システム１０１では、外部入力システム１０６による検査情報入力に基づき、Ｘ線検査を実施可能となる。外部入力システム１０６は、Ｘ線検査システム１０１に実施する検査情報を入力するためのシステムであり、より一般的にはＲＩＳ(Radiology Information System)として実現されるものである。また、実施する検査情報は操作者によって操作部１０３から入力されても良い。
【００１５】
操作者は、操作部１０３を介して検査に必要な情報のコマンド入力やＸ線撮影指示を行い、Ｘ線検出器から受信した撮影画像を表示部１０２に表示させる。撮影部１０５は、Ｘ線発生装置とＸ線検出器とで構成され、撮影されたＸ線画像は制御部１０４へ転送される。また、制御部１０４は、操作部１０３を介した操作に従って、検査の開始処理・終了処理や、受信した画像の画像調整や、撮影者名や患者名などの検査情報の編集を行う。
【００１６】
実施された検査に係る検査情報と当該検査に関連する撮影画像とは、操作者の指示により外部保存システム１０７、１０８に転送される。外部保存システム１０７、１０８は、Ｘ線検査システム１０１から転送された画像を保存、表示するための外部システムであり、より一般的にはＰＡＣＳ(Picture Archiving and Communication System)として実現されるものである。外部表示システム１０９は、外部保存システム１０７、１０８に保存された検査情報または撮影画像を、医師が読影する際に表示するための外部システムである。
【００１７】
＜検査画面＞
次に、図２を参照して、本実施形態に係るＸ線検査システムの検査画面のＧＵＩ例を示す。図２は、表示部１０２のＧＵＩの一例を示したものである。この表示画面ウィンドウ２０１上には撮影部１０５や制御部１０４内のデータベースから取得した画像を表示する取得画像表示領域２０２や、表示中の検査に対応する患者情報を表示する患者情報表示領域２０３、また、検査番号や検査情報などを表示する検査情報表示部２０４などが設けられる。
【００１８】
検査情報表示領域２０４には、検査で実施する撮影情報表示領域２０５、２０６が含まれる。選択された撮影情報は選択状態２０７となり、取得画像表示領域２０２への表示および操作の対象となる。操作者によって画像出力ボタン２０９が押下されると、選択中の撮影画像が外部保存システム１０７、１０８へと転送される。同様に、検査出力ボタン２１０が押下されると、選択中の撮影画像だけでなく実施中の検査の検査情報および撮影画像が外部保存システム１０７、１０８に転送される。
【００１９】
撮影に失敗したなど、撮影画像が読影に不適切であった場合、写損設定部２１１が有効にされると、選択中の撮影画像が写損画像として設定され、外部保存システム１０７、１０８への転送対象から除外される。写損設定部２１１は、再度無効にすることで写損状態の設定を解除することが可能である。全ての撮影が完了すると、撮影者は検査終了ボタン２０８を押下し、検査を終了する。なお、検査終了ボタン２０８の押下に応じて、検査出力ボタン２１０の押下と同様に外部保存システム１０７、１０８への出力指示がなされても良い。
【００２０】
＜処理＞
次に、図３を参照して、本実施形態に係るＸ線検査システムから外部保存システムへの撮影画像の出力処理の手順を説明する。撮影画像出力時には、制御部１０４は、操作部１０３の操作に従って、出力する対象の撮影画像を表示部１０２上で選択する（Ｓ３０１）。制御部１０４は、操作部１０３の操作に従って、画像選択後、外部保存システム１０７、１０８への出力指示を行う（Ｓ３０２）。
【００２１】
出力指示は、例えば表示部１０２の画像出力ボタン２０９の押下により実現される。出力指示がなされると、制御部１０４は、対象の撮影画像が少なくとも一度外部保存システム１０７、１０８に出力されているかどうかを確認する（Ｓ３０３）。出力済み画像であるかどうかは、Ｘ線検査システム１０１内で出力履歴を管理するか、または出力する外部保存システム１０７、１０８に問い合わせを行っても良い。
【００２２】
確認した結果、まだ一度も外部保存システム１０７、１０８に出力されていない場合は（Ｓ３０３でＮｏ）、制御部１０４は、撮影画像の出力処理を行う（Ｓ３０４）。一方、確認した結果、少なくとも一度以上、外部保存システム１０７、１０８に出力が行われていた場合（Ｓ３０３でＹｅｓ）、出力先での対象撮影画像の状態を取得する（Ｓ３０５）。状態の取得とは、外部保存システム１０７、１０８に出力済みの撮影画像が、読影に不適切である写損状態と判断されているかどうかの状態を問い合わせることを指す。
【００２３】
取得した撮影画像が、外部保存システム１０７、１０８で写損状態であると判断されていない場合は（Ｓ３０６でＮｏ）、読影に問題が無いと判断し、出力処理を行う（Ｓ３０４）。一方、取得した撮影画像が外部保存システム１０７、１０８で写損状態であると判断されている場合は（Ｓ３０６でＹｅｓ）、外部保存システム１０７、１０８で品質に問題があると判断された場合や、保存期限切れなどの場合が該当し、対象撮影画像が読影に利用されると問題がある可能性があるため、操作者に対して出力不可である旨の通知（Ｓ３０７）を行い、外部保存システム１０７、１０８への出力処理は行わない。
【００２４】
そして、外部保存システム１０７、１０８に不要な出力が行われないように、Ｘ線検査システム１０１での写損状態の解除を禁止する（Ｓ３０８）。写損状態の解除を禁止は、写損設定部２１１を強制的に有効とし、無効にする操作を禁止することで実現する。
【００２５】
続いて、図４を参照して、出力するかどうかの問合せ処理及び画像出力処理（Ｓ３０４、Ｓ３０５、Ｓ３０６）の際のＸ線検査システム１０１と外部保存システム１０７、１０８との情報のやり取りについて説明する。Ｘ線検査システム１０１は、出力済の画像の再出力が指示されると、Ｘ線検査システム１０１から外部保存システム１０７、１０８に、出力対象画像の状態を問い合わせる（Ｆ４０１）。
【００２６】
問い合わせを受けた外部保存システム１０７、１０８は、対象画像の状態をＸ線検査システム１０１に通知する（Ｆ４０２）。Ｘ線検査システム１０１は、通知された対象画像の状態に基づいて、画像が写損状態で無い場合（Ｆ４０３）は、外部保存システム１０７、１０８に対して画像を再出力する（Ｆ４０４）。一方、通知された画像が写損状態である場合は、画像を再出力せずに、処理を終了する。
【００２７】
次に、図５を参照して、本実施形態に係るＸ線検査システムから外部保存システムへの検査の出力処理手順を説明する。検査出力時には、制御部１０４は、操作部１０３の操作に従って、出力する対象の検査を選択する（Ｓ５０１）。制御部１０４は、操作部１０３の操作に従って、画像選択後、外部保存システム１０７、１０８への出力指示を行う（Ｓ５０２）。出力指示は、例えば表示部１０２の検査出力ボタン２１０の押下や、検査終了ボタン２０８の押下により実現される。
【００２８】
出力指示がなされると、制御部１０４は、対象検査内で出力されていない撮影画像を指定して（Ｓ５０３）、図３に示した撮影画像の出力処理を実施する（Ｓ５０４）。制御部１０４は、撮影画像の出力処理が終了すると、検査内の全画像が出力済になったか否かを確認する（Ｓ５０５）。未出力の画像がある場合はＳ５０３に戻り、次の未出力画像に対して処理を行い、検査内のすべての画像が出力済となるまで一連の処理を繰り返す。
【００２９】
＜出力不可の通知例及び写損状態の表示例＞
図６は、本実施形態に係る出力中止メッセージダイアログ６０１の一例を示す。図６は、出力不可である旨の通知（Ｓ３０７）の例を示したものである。出力先での対象撮影画像の状態を取得（Ｓ３０５）した際に、写損と判定された理由が対象画像に設定されていた場合、出力中止メッセージダイアログ６０１に出力先写損判定理由６０２を表示する。操作者は確認ボタン６０３を押下して、出力中止メッセージダイアログ６０１を閉じる。
【００３０】
次に、図７は、本実施形態に係る写損状態の表示例を示す。この写損状態の表示は、取得画像表示領域２０２または撮影情報表示領域２０５、２０６内のサムネイル画像に適用される。外部保存システム１０７、１０８へ未出力である場合、またはＸ線検査システム１０１および外部保存システム１０７、１０８で写損状態に設定されていない場合は、通常表示形態７０１を表示する。
【００３１】
操作者によって写損設定部２１１が有効にされ、Ｘ線検査システム内で写損状態となった場合、Ｘ線検査システムの写損状態表示形態７０２を表示する。この場合、写損設定部２１１の設定を変更することで、Ｘ線検査システムの写損状態が解除され、通常表示形態７０１に変更することができるものとする。
【００３２】
出力先での対象撮影画像の状態を取得（Ｓ３０５）した結果、外部保存システム１０７、１０８で写損状態であった場合、外部保存システムの写損状態表示形態７０３の表示を行う。外部保存システムの写損状態表示形態７０３が表示される場合、対象画像の不要な出力を防ぐために、写損設定部２１１が有効となり再度無効にする操作を禁止する処理を行う。
【００３３】
本実施形態によれば、Ｘ線検査システムにおいて医用画像等の検査情報を再出力する場合に、Ｘ線検査システムが外部保存システムでの対象検査情報の状態を取得する。これにより、外部保存システムの仕様や確認者からの通知に依存せずに、画像が再出力対象として適切かどうか判断することが可能となる。ひいては、操作者の負荷低減、および、操作ミスによる不要な医用画像の転送防止、不適切な読影および診断を防止することが可能となる。
【００３４】
[変形例１]
外部装置に検査情報または撮影画像を出力するタイミングは検査中に限定されない。終了済の検査情報または撮影画像を出力する場合でも、実施形態１で説明したＸ線検査システムから外部出力システムへの撮影画像出力についての流れを実施する。
【００３５】
（実施形態２）
実施形態１では、外部保存システムへの検査情報または撮影画像の出力処理の中で外部保存システムでの撮影画像の写損状態を取得する例を説明した。しかしながら、外部保存システムでの撮影画像の写損状態を取得するタイミングは、これに限定されない。なお、システム構成等は実施形態１と同様であるため、説明を省略する。
【００３６】
以下、図８を参照して、検査終了後に外部保存システムにおける撮影画像の写損状態を取得する例を示す。図８は、本実施形態に係る表示部１０２の過去検査選択画面ＧＵＩの一例を示したものである。表示画面ウィンドウ８００上には終了検査表示領域８０１や、Ｘ線検査システム１０１内の終了検査リスト８０２が設けられる。終了検査リスト８０２から、操作対象とする検査を選択すると太枠で強調された検査選択表示８０３が行われる。
【００３７】
選択された検査について、対応する患者情報を表示する患者情報表示領域８０４、また、検査番号や検査情報などを表示する検査情報表示領域８０５なども設けられる。検査情報表示領域８０５には、検査に含まれる撮影情報表示領域８０６、８０７、８０８が含まれ、実施された撮影情報が表示される。選択された検査内の全画像について、外部保存システム１０７、１０８での撮影画像の写損状態を取得する。
【００３８】
外部保存システム１０７、１０８で写損状態だった場合は、撮影情報表示領域８０６内のサムネイル画像に写損表示が適用される。また、外部保存システムで写損状態である画像について出力を禁止するために、画像出力ボタン８０９の押下を不可に設定する。検査内の画像すべてが外部保存システム１０７、１０８で写損状態である場合は、検査そのものの出力を禁止するために、検査出力ボタン８１０の押下を不可に設定する。なお、検査表示ボタン８１１を押下することで、図２に示す検査画面ＧＵＩに遷移する。
【００３９】
本実施形態によれば、不要な医用画像の外部への転送を防止し、不適切な読影および診断を防止することが可能となる。
【００４０】
[変形例２]
実施形態１、２では、検査選択後に外部保存システムでの撮影画像の写損状態を取得する例を説明した。しかしながら、外部保存システムでの撮影画像の写損状態を取得するタイミングは、これに限定されない。Ｘ線検査システムの起動時や、外部保存システムとの接続が確立されたタイミングで、Ｘ線検査システムにある全検査内の撮影画像について、写損状態を取得しても良い。
【００４１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４２】
１０１：Ｘ線検査システム、１０２：表示部、１０３：操作部、１０４：制御部、１０５：撮影部、１０６：外部入力システム、１０７：外部保存システム、１０８：外部保存システム、１０９：外部表示システム
【図１】
2017170013.tif 000003
【図２】
2017170013.tif 000004
【図３】
2017170013.tif 000005
【図４】
2017170013.tif 000006
【図５】
2017170013.tif 000007
【図６】
2017170013.tif 000008
【図７】
2017170013.tif 000009
【図８】
2017170013.tif 000010